(57)【要約】      （修正有）【課題】容器に収納された被試験体に対し、人が振動を加えような複雑の振動を加えることを可能とした振動装置を提供する。【解決手段】振動装置であって、容器を載置するための取付台と、固定位置で回動する第１固定旋回軸１０と、旋回する固定クランク部材１２と、第１角度範囲２θ１で第１固定旋回軸を往復旋回させる第１旋回手段６、７と、固定クランク部材に形成された一対の軸受けに旋回自在に支持された可動旋回軸１５と、円盤部材１６と、基部が円盤部材１６に取り付けられ、先端部が取付台に取り付けられた支持部材２０と、可動旋回軸を第２角度範囲２θ２で往復旋回させる第２旋回手段２５と、を備え、取付台は、第１角度範囲で第１固定旋回軸に対して旋回するとともに第２角度範囲で前記可動旋回軸の軸線回りに旋回することを特徴とする。【選択図】図１
0003179210.tif 000002
【実用新案登録請求の範囲】
【請求項１】
被試験物を容器に入れて前記被試験物に振動を加えるための振動装置であって、
前記容器を載置するための取付台と、
固定位置で回動する第１固定旋回軸と、
前記第１固定旋回軸に取り付けられ旋回する固定クランク部材と、
第１角度範囲で前記第１固定旋回軸を往復旋回させる第１旋回手段と、
前記固定クランク部材に形成された一対の軸受けに旋回自在に支持された可動旋回軸と、
前記可動旋回軸に取り付けられた円盤部材と、
基部が前記円盤部材に取り付けられ、先端部が前記取付台に取り付けられた支持部材と、
前記可動旋回軸を第２角度範囲で往復旋回させる第２旋回手段と、
を備え、
前記取付台は、前記第１角度範囲で前記第１固定旋回軸に対して旋回するとともに前記第２角度範囲で前記可動旋回軸の軸線回りに旋回する
ことを特徴とする振動装置。
【請求項２】
人が手で前記容器を持って手首と腕で前記容器に振動を加えることを想定する場合に、前記第１角度範囲が人の腕の旋回角度範囲に相当するとともに、前記第２角度範囲が人の手首の旋回角度範囲に相当するように設定される
ことを特徴とする請求項１に記載の振動装置。
【請求項３】
前記円盤部材は、前記一対の軸受けの一方の側で前記可動旋回軸に取り付けられた第１円盤部と、前記一対の軸受けの他方の側で前記可動旋回軸に取り付けられ前記支持部材が取り付けられた第２円盤とを有し、前記第１円盤部と前記第２円盤部とは、前記可動旋回軸の軸線回りに相対変位可能であって前記支持部材が旋回するときの所望の基準角度位置に設定するように互いに固定可能である
ことを特徴とする請求項１に記載の振動装置。
【請求項４】
前記第１旋回手段は、モータによって回転駆動される回転体の回転中心から偏心した位置に設けられた第１偏心部と、前記第１固定クランク部材に連結され前記固定旋回軸とともに旋回する伝達部材と、前記第１偏心部と前記伝達部材との間に掛け渡された旋回用クランク部材と
を有することを特徴とする請求項１に記載の振動装置。
【請求項５】
前記第２旋回手段は、固定位置にある第２固定旋回軸と、前記円盤部材の回転中心から偏心した位置に設けられたた第２偏心部と、一端が前記第２固定旋回軸に旋回自在に取り付けられ、他端が前記第２偏心部に取り付けられた第２旋回用クランク部材と
を有することを特徴とする請求項１に記載の振動装置。
【考案の詳細な説明】
【技術分野】
【０００１】
本考案は、振動装置に係り、特に被処理体を試験管等の容器に収納した状態で振動を加えるための振動装置に関する。
【背景技術】
【０００２】
液体や粉末体等からなる被試験体を試験管等の容器に収納した状態でそれを人間が手で持ち手首と共に腕を往復動して振り、その後に試験薬等を用いて被試験体の特性を判断することはよく行われている。
【０００３】
また、被試験体入りの容器を人が振る代わりに、容器を振動装置に載置し振動を加えることが知られている。
【０００４】
図９は、従来の振動装置を示す。図９において、円盤１００の軸に腕棒１０１を固着し、クランク機構でクランク腕１０２を介して円盤１００を往復回動させる。腕棒１０１には取付台１０３が固着されており、取付台１０３には被試験体が封入された容器１０４が保持されている。円盤１００が往復回動に伴い腕棒１０１も往復回動し、取付台１０３に保持されたに固着された容器１０４が往復回動し、容器１０３に収納された被試験体に振動が加えられる。
【先行技術文献】
【特許文献】
【０００５】
【特許文献１】実公昭４９−８７８３号公報
【考案の概要】
【考案が解決しようとする課題】
【０００６】
しかしながら、図９に示す従来の振動装置においては、円盤１００が往復回動に伴い腕棒１０１も往復回動する構造であるために、容器１０３に収納された被試験体に単純な振動しか加えられないという問題があった。
【０００７】
すなわち、例えば、人の手で容器を持って手首と腕で容器に振動を加えることを想定する場合に、容器は手首の回動と腕の回動とが重畳した複雑な振動を容器内の被試験体に加えることができるのでに対し、従来の振動装置においては、人の手で容器を持って振動と加える程の複雑な振動を加えることができないという問題があった。
【０００８】
そこで、本考案の目的は、上記従来の技術が有する問題点を解消し、人の手で容器を持って振動と加える程の複雑な振動を加えることができる振動装置を提供することである。
【課題を解決するための手段】
【０００９】
上記目的を達成するために、本願考案に係る振動装置は、被試験物を容器に入れて前記被試験物に振動を加えるための振動装置であって、前記容器を載置するための取付台と、固定位置で回動する第１固定旋回軸と、前記第１固定旋回軸に取り付けられ旋回する固定クランク部材と、第１角度範囲で前記第１固定旋回軸を往復旋回させる第１旋回手段と、前記固定クランク部材に形成された一対の軸受けに旋回自在に支持された可動旋回軸と、前記可動旋回軸に取り付けられた円盤部材と、基部が前記円盤部材に取り付けられ、先端部が前記取付台に取り付けられた支持部材と、前記可動旋回軸を第２角度範囲で往復旋回させる第２旋回手段と、を備え、前記取付台は、前記第１角度範囲で前記第１固定旋回軸に対して旋回するとともに前記第２角度範囲で前記可動旋回軸の軸線回りに旋回することを特徴とする。
【００１０】
また、人が手で前記容器を持って手首と腕で前記容器に振動を加えることを想定する場合に、前記第１角度範囲が人の腕の旋回角度範囲に相当するとともに、前記第２角度範囲が人の手首の旋回角度範囲に相当するように設定されることを特徴とする。
【００１１】
また、前記円盤部材は、前記一対の軸受けの一方の側で前記可動旋回軸に取り付けられた第１円盤部と、前記一対の軸受けの他方の側で前記可動旋回軸に取り付けられ前記支持部材が取り付けられた第２円盤とを有し、前記第１円盤部と前記第２円盤部とは、前記可動旋回軸の軸線回りに相対変位可能であって前記支持部材が旋回するときの所望の基準角度位置に設定するように互いに固定可能であることを特徴とする。
【００１２】
また、前記第１旋回手段は、モータによって回転駆動される回転体の回転中心から偏心した位置に設けられた第１偏心部と、前記第１固定クランク部材に連結され前記固定旋回軸とともに旋回する伝達部材と、前記第１偏心部と前記伝達部材との間に掛け渡された旋回用クランク部材とを有することを特徴とする。
【００１３】
また、前記第２旋回手段は、固定位置にある第２固定旋回軸と、前記円盤部材の回転中心から偏心した位置に設けられたた第２偏心部と、一端が前記第２固定旋回軸に旋回自在に取り付けられ、他端が前記第２偏心部に取り付けられた第２旋回用クランク部材と
を有することを特徴とする。
【考案の効果】
【００１４】
本願考案の構成によれば、被試験物を容器に入れて前記被試験物に振動を加えるための振動装置であって、前記容器を載置するための取付台と、固定位置で回動する第１固定旋回軸と、前記固定旋回軸に取り付けられ旋回する固定クランク部材と、第１角度範囲で前記第１固定旋回軸を往復旋回させる第１旋回手段と、前記固定クランク部材に形成された一対の軸受けに旋回自在に支持された可動旋回軸と、前記可動旋回に取り付けられた円盤部材と、基部が前記円盤部材に取り付けられ、先端部が前記取付台に取り付けられた支持部材と、前記可動旋回軸を第２角度範囲で往復旋回させる第２旋回手段と、を備え、前記取付台は、前記第１角度範囲で前記第１固定旋回軸に対して旋回するとともに前記第２角度範囲で前記可動旋回軸の軸線回りに旋回するので、容器中の被試験物に対し、例えば人が容器を手で掴み振動を与えるように、実際的で複雑な振動を与えることが可能になる。
【図面の簡単な説明】
【００１５】
【図１】本願考案の振動装置の実施形態を示す正面図。
【図２】本願考案の振動装置の実施形態を示す側面図。
【図３】本願考案の振動装置の実施形態を示す斜視図。
【図４】第２旋回手段における第２偏心部について説明する図。
【図５】支持部材が所望の角度位置に固定できることを示す図。
【図６】本願考案の振動装置の製品形態を示す外観斜視図。
【図７】図７に対応する側面図。
【図８】取付台上に載置された容器の例を示す図。
【図９】従来の振動装置を示す図。
【考案を実施するための形態】
【００１６】
本願考案の実施の形態について図面を参照して以下に説明する。
【００１７】
図１は振動装置に実施形態を示す正面図であり、図２は側面図であり、図３は斜視図である。モータ１による回転力はベルト２によってプーリ３に伝達され、プーリ３の回転軸４が減速された回転駆動される。回転軸４はポール５に設けられた軸受けに支持されている。回転軸４のプーリ３とは反対側の端部にある回転体には、回転軸４の回転中心から偏心した位置に第１偏心部６が設けられている。第１偏心部６には、旋回自在に第１旋回用クランク部材７が装着されている。
【００１８】
ポール５と適度の距離をおいてポール８が立設されおり、ポール８の奥側にはポール９が立設されている。ポール８とポール９の各々の上部には一対の軸受け８ａ、９ａが設けられており、軸受け８ａ、９ａに第１固定旋回軸１０が旋回自在に設けられている。
【００１９】
第１固定旋回軸１０の一方側端部には長平板状の伝達部材１１が装着されている。伝達部材１１の第１固定旋回軸１０より下方の部位に、第１旋回用クランク部材７の端部が固着されている。これによって、第１旋回用クランク部材７は第１偏心部６と伝達部材１１の下部との間に掛け渡され、伝達部材１１を介して第１固定旋回軸１０を旋回させる。すなわち、第１旋回用クランク部材７の一端である第１偏心部６が回転軸４の回りに旋回することによって、第１旋回用クランク部材７の他端は、第１固定旋回軸１０の回りに位置７ａと７ｂとの間で往復回動する。
【００２０】
一対の軸受け８ａ、９ａの間には第１固定旋回軸１０の回りの旋回自在な固定クランク部材１２が装着されている。固定クランク部材１２は伝達部材１１と一体的になって第１固定旋回軸１０とともに旋回するように軸受け８ａ、９ａの間に装着されている。固定クランク部材１２はコの字状の形状を有し、相対向する側部１２ａ、１２ｂと、側部１２ａ、１２ｂに連結された底部１２ｃとから構成されており、底部１２ｃが第１固定旋回軸１０に一致している。
【００２１】
固定クランク部材１２の側部１２ａ、１２ｂの上端部には軸受け１３、１４が設けられている。軸受け１３、１４の間には旋回関節軸１５が旋回自在に掛け渡されている。
【００２２】
固定クランク部材１２は伝達部材１１と一体的になって旋回するので、第１旋回用クランク部材７が第１固定旋回軸１０の回りに位置７ａと７ｂとの間で往復すると、これに連動して可動旋回軸１５は第１固定旋回軸１０の回りに回動する。
【００２３】
可動旋回軸１５には円盤部材１６が取り付けられている。円盤部材１６は、第１円盤部１７と第１円盤部１７に対し可変角度位置で固定可能である第２円盤部１８とから構成されている。第１円盤部１７は軸受け１３の側で可動旋回軸１５に取り付けられ、第２円盤部１８は軸受け１４の側で可動旋回軸１５に取り付けられている。第２円盤部１８の中心部には、棒状の支持部材２０の一端が取り付けられている。支持部材２０の他端には、被試験物を入れた容器２１を載置するための取付台２２が取り付けられる。
【００２４】
第１円盤部１７と第２円盤部１８とは、可動旋回軸１５の軸線回りに相対変位可能であって支持部材２０が旋回するときの所望の基準角度位置に設定するように互いに固定可能である。具体的には、円盤部材１６において、第１円盤部１７と第２円盤部１８との対向する面には互いに噛み合い可能な歯車を形成されており、第１円盤部１７と第２円盤部１８とはネジ部２２を締めることによって互いに一体的に可動旋回軸１５とともに回動可能になる。
【００２５】
また、図５に示すように、第２円盤部１８には約９０°の角度範囲に渡って貫通した円弧状溝２３が形成されており、第１円盤部１７側からネジ部２２が第２円盤部１８の円弧状溝２３に到っている。まず、ネジ部２２を緩め、支持部材２０が旋回する所望の角度位置にするために第１円盤部１７に対して第２円盤部１８を回して所望の角度位置にし、ネジ部２２を締めることによって、支持部材２０が固定される角度位置が設定される。そして、支持部材２０が固定される角度位置が設定されることによって、例えば、図６、図７に示すように、取付台２２が所望の角度位置に設定され、その位置を基準位置にして取付台２２が上下に旋回され、取付台２２上の容器２１中の被試験物に振動が加えられる。
【００２６】
図８は、取付台２２上に載置されたフラスコである容器２１の一例を示す。容器２１の種類としては、フラスコに限らす、試験管や瓶やとの他種々のものが使用可能である。
【００２７】
次に、可動旋回軸１５を第２角度範囲で往復旋回させる第２旋回手段２５について設明する。第２旋回手段２５は、固定位置にある第２固定旋回軸２６と、円盤部材１６の回転中心から偏心した位置に設けられたた第２偏心部２７と、一端が第２固定旋回軸２６に旋回自在に取り付けられ、他端が前記第２偏心部２７に取り付けられた第２旋回用クランク部材２８とを有する。
【００２８】
次に、本願考案に係る振動装置の作用について説明する。  
まず、第１円盤部１７と第２円盤部１８とは、支持部材２０が旋回するときの所望の基準角度位置に設定するように互いにネジ部２２を締めて固定する。
【００２９】
次に、モータ１によってプーリ３で減速された回転軸４が回転し、回転軸４の回転中心から偏心した位置にある第１偏心部６が回転軸４の回転中心の回りに偏心回転し、これに伴い第１偏心部６に一端で連結された第１旋回用クランク部材７が往復し、第１旋回用クランク部材７の他端は７ａと７ｂとの間を往復動する。第１旋回用クランク部材７の他端は伝達部材１１に下部に連結されているので、伝達部材１１が第１固定旋回軸１０の回りに旋回する。伝達部材１１と固定クランク部材１２とは一体的に第１固定旋回軸１０の回りに旋回するようになっているので、第１旋回用クランク部材７の他端が７ａと７ｂとの間を往復動することに対応して、固定クランク部材１２とは一体的に第１固定旋回軸１０の回りに旋回する。
【００３０】
可動旋回軸１５が固定クランク部材１２の先端部からに形成されているので、第１旋回用クランク部材７が第１固定旋回軸１０の回りに位置７ａと７ｂとの間で往復すると、これに連動して可動旋回軸１５は第１固定旋回軸１０の回りに回動し、可動旋回軸１５とともに円盤部材１６も第１固定旋回軸１０の回りに回動し、円盤部材１６及び支持部材２０が可動旋回軸１５と共に第１固定旋回軸１０の回りに回動する。
【００３１】
ここで、可動旋回軸１５、円盤部材１６及び支持部材２０が第１固定旋回軸１０の回りに回動するのであるが、可動旋回軸１５等は同時に第２旋回手段２５によっても駆動され、可動旋回軸１５等には  第２旋回手段２５による駆動が重畳される。
【００３２】
すなわち、図１や図４等に示すように、第２固定旋回軸２６の回りに旋回する第２旋回用クランク部材２８が円盤部材１６の回転中心から偏心した位置に設けられたた第２偏心部２７に取り付けられている。第２偏心部２７は、第２固定旋回軸２６の回りに第２旋回用クランク部材２８が旋回することによって、旋回位置２７ａと２７ｂとの間を旋回する。旋回位置２７ａは第１旋回用クランク部材７の旋回位置７ａに対応し、旋回位置２７ｂは第１旋回用クランク部材７の旋回位置７ｂに対応する。すなわち、第１旋回用クランク部材７が旋回位置７ａから旋回位置７ｂへ旋回すると、第２偏心部２７は旋回位置２７ａから旋回位置２７ｂへ旋回し、可動旋回軸１５は旋回位置１５ａから旋回位置１５ｂへ旋回する。
【００３３】
図１及び図４を参照して、支持部材２０の動きについて説明する。円盤部材１６及び支持部材２０は可動旋回軸１５と一体的に第１固定旋回軸１０の回りに旋回する。この場合、円盤部材１６は可動旋回軸１５とともに第２偏心部２７を介して第２固定旋回軸２６の回りにも旋回する。この結果、支持部材２０は第１固定旋回軸１０を通る旋回基準軸Ｃを基準として、角度位置ＡとＢとの間を旋回する。角度位置ＡとＢは、旋回基準軸Ｃの前後位置に角度θ１の旋回角度にある。
【００３４】
また、旋回基準軸Ｃに平行な旋回位置１５ａを通る軸位置を基準角度位置Ａ１とし、旋回基準軸Ｃに平行な旋回位置１５ｂを通る軸位置を基準角度位置Ｂ１とする。角度位置Ａは、基準角度位置Ａ１から下方へ角度θ２の旋回角度にあり、角度位置Ｂは、基準角度位置Ｂ１から上方へ角度θ２の旋回角度にある。
【００３５】
角度θ１の２倍が第１角度範囲に相当し、角度θ２の２倍が第２角度範囲に相当し、支持部材２０は、角度位置Ａと角度位置Ｂとの間を往復動する。角度位置Ａから角度位置Ｂへ旋回する場合に、支持部材２０の角度位置が角度位置Ａから旋回基準軸Ｃに近づくにつれて角度θ２がより小さくなり旋回基準軸Ｃでゼロになり、支持部材２０の角度位置が旋回基準軸Ｃから離れるにつれて角度θ２が逆方向により大きくなり角度位置Ｂで最大になる。ここで、角度θ１は例えば約２０°であり、角度θ２は角度θ１と同じである必要はないが例えば２０°である。
【００３６】
人が手で容器２１を持って手首と腕で容器２１に振動を加えることを想定する場合に、第１角度範囲２θ１が人の腕の旋回角度範囲に相当するとともに、第２角度範囲２θ２が人の手首の旋回角度範囲に相当する。
【００３７】
以上のように、本願考案の実施の形態によれば、取付台２２は、第１角度範囲２θ１で第１固定旋回軸１０に対して旋回するとともに第２角度範囲２θ２で可動旋回軸１５の軸線回りに旋回するので、容器２１中の被試験物に対し、例えば人が容器を手で掴み振動を与えるように、実際的で複雑な振動を与えることが可能になる。
【符号の説明】
【００３８】
３  プーリ
６  第１偏心部
７  第１旋回用クランク部材
８ａ、９ｂ  軸受け
１０  第１固定旋回軸
１１  伝達部材
１２  固定クランク部材
１５  可動旋回軸
１６  円盤部材
１７  第１円盤部
１８  第２円盤部
２０  支持部材
２１  容器
２２  取付台
【図１】
0003179210.tif 000003
【図２】
0003179210.tif 000004
【図３】
0003179210.tif 000005
【図４】
0003179210.tif 000006
【図５】
0003179210.tif 000007
【図６】
0003179210.tif 000008
【図７】
0003179210.tif 000009
【図８】
0003179210.tif 000010
【図９】
0003179210.tif 000011